(57)【要約】【課題】印刷領域の文書情報を本来の機能を保持した状態で出力しつつ、付加情報を確実に出力する。【解決手段】本発明は、用紙１８の文書情報出力領域１９の外周領域２０に付加情報を出力するための画像形成データを生成可能な画像形成システムであって、用紙１８の外周領域２０に付加情報を出力する場合に、原稿の用紙サイズ別に、該原稿の用紙より出力する用紙を一回り大きなサイズに切り替えるように設定する用紙サイズ変換テーブル１６と、原稿の用紙サイズに対応する設定を用紙サイズ変換テーブル１６から検索し、画像形成装置１に対して、前記原稿の用紙より一回り大きなサイズの用紙１８の外周領域２０に付加情報を出力するように命令する付加情報処理手段１５とを備えていることを特徴とする。【選択図】図２
2007148745.tif 000002
【特許請求の範囲】
【請求項１】
用紙の文書情報出力領域の外周領域に付加情報を出力するための画像形成データを生成可能な画像形成システムであって、
前記用紙の外周領域に付加情報を出力する場合に、原稿の用紙サイズ別に、該原稿の用紙より出力する用紙を一回り大きなサイズに切り替えるように設定する用紙サイズ変換テーブルと、
原稿の用紙サイズに対応する設定を前記用紙サイズ変換テーブルから検索し、画像形成装置に対して、前記原稿の用紙より一回り大きなサイズの用紙の外周領域に付加情報を出力するように命令する付加情報処理手段と、
を備えていることを特徴とする画像形成システム。
【請求項２】
用紙の文書情報出力領域の外周領域に付加情報を出力するための画像形成データを生成する画像形成プログラムであって、
前記用紙の外周領域に付加情報を出力する場合に、原稿の用紙サイズに対応する設定情報を前記用紙サイズ変換テーブルから検索する工程と、
該用紙サイズ変換テーブルから検索した設定情報に基づき、画像形成装置に対して、原稿の用紙より一回り大きなサイズの用紙の外周領域に付加情報を出力するように命令する工程と、
をコンピュータに実行させることを特徴とする画像形成プログラム。
【発明の詳細な説明】
【技術分野】
【０００１】
本発明は、用紙の文書情報出力領域の外周領域に付加情報を出力するための画像形成データを生成可能な画像形成システム及び画像形成プログラムに関する。
【背景技術】
【０００２】
従来、複写機、複合機等の画像形成装置に対して、アプリケーションソフトで生成した文書情報と共にヘッダやフッタ等の付加情報を含む画像形成データを生成して送出し、前記画像形成装置において、この画像形成データに基づき、所定サイズの用紙に文書情報を出力すると共に該文書情報の出力領域の外周領域に付加情報を出力する技術が知られている。
【０００３】
従来のこの種の技術としては、例えば、ヘッダやフッタを印刷する際にヘッダやフッタの領域を判定し、文書情報の印刷領域がヘッダやフッタの領域に重複しないように、文書情報の印刷領域を適宜縮小するものが提案されている（例えば、特許文献１又は２参照）。
【特許文献１】特開２００２−７３５９５号公報
【発明の開示】
【発明が解決しようとする課題】
【０００４】
しかしながら、上記した従来の技術では、文書情報の印刷領域が適宜縮小されてしまうため、その印刷領域に、例えば、縮小されると縮尺が変わってしまう図面や地図等の情報を出力する場合には、その情報が本来の機能を発揮せず、不都合が生じるといった問題があった。
【０００５】
また、前記印刷領域を縮小する現在の技術には、未だ解決すべき課題も多いため、例えば、網掛け部を含む文書情報を縮小すると網掛け部が波模様等の他の模様に変換されてしまう等、前記印刷領域に含まれる文書情報の種類によっては、縮小した場合に不具合が生じることがあった。
【０００６】
本発明は、上記した課題を解決すべくなされたものであり、前記印刷領域の文書情報を本来の機能を保持した状態で出力しつつ、付加情報を確実に出力することのできる画像形成システム及び画像形成プログラムを提供することを目的とするものである。
【課題を解決するための手段】
【０００７】
上記した目的を達成するため、本発明は、用紙の文書情報出力領域の外周領域に付加情報を出力するための画像形成データを生成可能な画像形成システムであって、前記用紙の外周領域に付加情報を出力する場合に、原稿の用紙サイズ別に、該原稿の用紙より出力する用紙を一回り大きなサイズに切り替えるように設定する用紙サイズ変換テーブルと、原稿の用紙サイズに対応する設定を前記用紙サイズ変換テーブルから検索し、画像形成装置に対して、前記原稿の用紙より一回り大きなサイズの用紙の外周領域に付加情報を出力するように命令する付加情報処理手段とを備えていることを特徴とする。
【０００８】
また、本発明は、用紙の文書情報出力領域の外周領域に付加情報を出力するための画像形成データを生成する画像形成プログラムであって、前記用紙の外周領域に付加情報を出力する場合に、原稿の用紙サイズに対応する設定情報を前記用紙サイズ変換テーブルから検索する工程と、該用紙サイズ変換テーブルから検索した設定情報に基づき、画像形成装置に対して、原稿の用紙より一回り大きなサイズの用紙の外周領域に付加情報を出力するように命令する工程とをコンピュータに実行させることを特徴とする。
【発明の効果】
【０００９】
本発明によれば、用紙の外周領域に付加情報を出力する場合に、原稿の用紙より出力する用紙を一回り大きなサイズに切り替えるように設定しているため、用紙に出力される文書情報の種類に拘らず、該文書情報を本来の機能を保持した状態で用紙に出力しつつ、ヘッダやフッタ等の付加情報を用紙の外周領域に確実に印刷することができる。
【発明を実施するための最良の形態】
【００１０】
以下、図１〜図３を参照しつつ、本発明の実施の形態について説明する。ここで、図１は本実施の形態におけるコンピュータシステムのハードウェアの構成を示すブロック図、図２は画像形成システムの構成を示す機能ブロック図、図３は画像形成システムの用紙サイズ変換テーブルの設定情報を示す画面表示図である。
【００１１】
本実施の形態に係る画像形成システムは、画像形成装置１に対して通信ケーブル等を介して接続されたコンピュータシステム２を使用して実行可能なように構成されている。このコンピュータシステム２は、該コンピュータシステム２のそれぞれの構成手段を制御するためのＣＰＵ（Central Processing Unit）３と、各種データやプログラムを一時的に記憶するためのメモリ４と、ＣＰＵ３が実行する制御プログラムを格納するためのハードディスク５と、液晶表示装置等のディスプレイ６と、マウスやキーボード等の入力装置７とが、それぞれバス８を介して接続されて構成されている。そして、本実施の形態に係る画像形成システムは、コンピュータシステム２に組み込まれた画像形成プログラム９をＣＰＵ３が実行することにより機能するようになっている。
【００１２】
図２に示されているように、この画像形成プログラム９は、ユーザが利用するワープロソフト等のアプリケーションソフト１０からＧＤＩ（Graphic Device Interface）１１を介して受け取った命令を画像形成装置１が解釈可能な形式に変換するための描画命令解釈部１２と、描画結果の拡大、縮小や、複数ページの単一ページへの割付等の処理を行う拡大縮小／レイアウト処理部１３と、ユーザが利用するコンピュータシステム２からユーザインターフェース１４を介して受け取った命令に基づき、用紙の外周領域にヘッダやフッタ等の付加情報を出力する処理を行うための付加情報処理部１５と、前記用紙の外周領域に付加情報を出力する場合の情報を設定する用紙サイズ変換テーブル１６を格納する印刷設定格納部１７とから構成されている。
【００１３】
図３に示されているように、用紙サイズ変換テーブル１６には、原稿の用紙サイズ別にヘッダやフッタ等の付加情報の出力処理に関する情報が設定されて格納されている。具体的には、例えば、原稿サイズがＡ５サイズの場合に、出力用紙のサイズをＢ５サイズに切り替えて、該用紙の外周領域の余白に付加情報を印刷する設定や、原稿サイズがＢ５サイズの場合に、出力用紙のサイズをＡ４サイズに切り替えて、該用紙の外周領域の余白に付加情報を印刷する設定や、原稿サイズがＡ４サイズの場合に、出力用紙のサイズをＢ４サイズに切り替えて、該用紙の外周領域の余白に付加情報を印刷する設定等、用紙の外周領域に付加情報を出力する場合に、出力用紙のサイズを原稿の用紙より一回り大きなサイズに切り替えるように設定されている。
【００１４】
次に、図１〜図４を参照しつつ、本発明の実施の形態に係る画像形成システムの作用について説明する。ここで、図４は本実施の形態に係る画像形成システムにおいて用紙に付加情報を出力した状態を示す平面図である。
【００１５】
ユーザがアプリケーションソフト１０を使用して作成した文書情報は、ＧＤＩ１１を介して描画命令として画像形成プログラム９に送られる。そうすると、画像形成プログラム９では、描画命令解釈部１２がその描画命令を受け取り、該描画命令は、画像形成装置１の解釈可能な形式に変換された後、拡大縮小／レイアウト処理部１３において、必要に応じて、所要の処理が行われ、付加情報処理部１５に送られる。
【００１６】
一方、ユーザがコンピュータシステム２を介して画像形成プログラム９に送出した印刷命令は、ユーザインターフェース１４を介して付加情報処理部１５に送られ、付加情報処理部１５は、この印刷命令が、ヘッダやフッタ等の付加情報の出力命令を含んでいるかどうかを判断する。
【００１７】
そして、付加情報処理部１５は、前記印刷命令がヘッダやフッタ等の付加情報の出力命令を含んでいると判断した場合には、印刷設定格納部１７の用紙サイズ変換テーブル１６から、その時の原稿サイズに対応する設定情報を検索する。そして、例えば、その時の原稿サイズがＢ５サイズであった場合には、原稿サイズがＢ５サイズの欄（図３では、＊印の欄）の設定情報に従って、出力する用紙サイズをＢ５サイズより一回り大きなＡ４サイズに切り替えて、前記文書情報及び付加情報を出力するように、画像形成装置１に対して命令を送出する。これを受けて、画像形成装置１は、図４に示すように、前記文書情報の縮尺を変えることなくそのままの状態で、Ａ４サイズの用紙１８の通常の印刷領域１９に前記文書情報を印刷すると共に、印刷領域１９の外周領域２０にヘッダやフッタ等の付加情報を印刷する。
【００１８】
これに対して、付加情報処理部１５は、前記印刷命令がヘッダやフッタ等の付加情報を含んでいないと判断した場合、或いは、用紙サイズ変換テーブル１６から、その時の原稿サイズに対応する設定情報を発見することができないと判断した場合には、その時の原稿サイズのままの状態で、前記文書情報を出力するように、画像形成装置１に対して命令を送出し、画像形成装置１は、前記文書情報の縮尺を変えることなくそのままの状態で、原稿と同サイズの用紙の通常の印刷領域に前記文書情報を印刷する。
【００１９】
なお、この用紙サイズ変換テーブル１６の設定情報は、ユーザがコンピュータシステム２の入力装置７から所定の命令を送出することにより、新規設定、変更、又は編集できるようになっており、その場合、前記命令は、ユーザインターフェース１４を介して、付加情報処理部１５に送出され、付加情報処理部１５が用紙サイズ変換テーブル１６の設定情報を新規設定、変更、又は編集処理するようになっている。したがって、ユーザが手持ちの用紙の範囲内で用紙サイズ変換テーブル１６の設定情報を自由に変更することができるため、ユーザにとって使い勝手のよいシステムを提供することができる。
【００２０】
このように上記した実施の形態によれば、ユーザがアプリケーションで作成した文書情報を用紙１８の印刷領域１９に出力する時に、縮小、上書き等の加工を施すことがないため、例えば、図面や地図等の情報を出力する場合にも、縮尺が変わってしまう等の不都合が生じることがなく、また、文書情報に網掛け部が含まれている場合にも、網掛け部が波模様等の他の模様に変換されてしまうような不具合が生じることもない。したがって、印刷領域１９に出力される文書情報の種類に拘らず、該文書情報を印刷領域１９に本来の機能を保持した状態で印刷しつつ、ヘッダやフッタ等の付加情報を用紙の印刷領域１９の外周領域２０に確実に印刷することができる。
【図面の簡単な説明】
【００２１】
【図１】本発明の実施の形態におけるコンピュータシステムのハードウェアの構成を示すブロック図である。
【図２】本発明の実施の形態に係る画像形成システムの構成を示す機能ブロック図である。
【図３】本発明の実施の形態に係る画像形成システムにおいて、用紙サイズ変換テーブルの設定情報を示す画面表示図である。
【図４】本発明の実施の形態に係る画像形成システムにおいて、用紙に付加情報を出力した状態を示す平面図である。
【符号の説明】
【００２２】
１          画像形成装置
９          画像形成プログラム
１５        付加情報処理部
１６        用紙サイズ変換テーブル
１８        用紙
１９        印刷領域
２０        外周領域
【図１】
2007148745.tif 000003
【図２】
2007148745.tif 000004
【図３】
2007148745.tif 000005
【図４】
2007148745.tif 000006